【事件の表示】
　特願２００１−２１５６９５「イメージ入力装置」拒絶査定不服審判事件〔平成１５年　１月３１日出願公開、特開２００３−　３２４４４〕について、次のとおり審決する。
【結　論】
　本件審判の請求は、成り立たない。
【理　由】
１．手続の経緯
　本願は、平成１３年７月１６日の出願であって、平成１６年１１月１０日付で拒絶査定がされ、これに対し、同年１２月１７日に拒絶査定不服審判が請求されるとともに、平成１７年１月１４日付で手続補正がなされたものである。
　
２．平成１７年１月１４日付の手続補正についての補正却下の決定
［補正却下の決定の結論］
　平成１７年１月１４日付の手続補正を却下する。
　
［理由］
（１）本願補正発明
　平成１７年１月１４日付の手続補正（以下、「本件補正」という。）により、特許請求の範囲の請求項１は、
　「三角波発生回路、パルス幅変調器、ランプ点灯回路を含む点灯回路を備え、被写体に希ガス放電ランプにより光を照射し、その反射光の強弱をイメージセンサにより電気信号に変換するイメージ入力装置において、パルス幅変調器に接続されると共に、前記希ガス放電ランプとランプ点灯回路との間に接続された保護回路をさらに含む前記点灯回路と、イメージセンサ、発振器、及びシステム制御部を含む変換回路とを具備し、前記システム制御部は、前記発振器から印加されるクロックに基づいて、前記三角波発生回路に所定周波数のクロックを印加すると共に前記イメージセンサに前記所定周波数を分周した周波数のリセット信号を出力し、前記ランプ点灯回路は、前記三角波発生回路からの前記所定周波数と同一周波数の三角波電圧の入力により前記所定周波数と同一周波数のパルス幅変調信号を出力する前記パルス幅変調器を介して入力され、かつ、前記リセット信号に同期し、パルス数が固定された信号により、前記所定周波数のクロックと同一の周波数で前記希ガス放電ランプを点灯することを特徴とするイメージ入力装置。」と補正された。
　
　本件補正は、本件補正前の請求項１に記載した発明を特定するために必要な事項である「点灯回路」、「パルス幅変調器」、及び「ランプ点灯回路に入力される信号」について、具体的な限定を付加するものであって、特許法第１７条の２第４項第２号の特許請求の範囲の減縮を目的とするものに該当する。
　そこで、本件補正後の請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
（２）引用例
［第１引用例］
　原査定の拒絶の理由に引用された、特開昭６２−１４３５５２号公報（以下、「第１引用例」という。）には、次の事項が図面と共に記載されている。
　
（ａ）「本発明は、たとえばカラーの画像を光学的に読取る画像読取装置に係り、特に光源の光量変動に対する安定化に関する。」（１頁右下欄６行〜８行）
　
（ｂ）「ところで、従来のこの種の画像読取装置においては、安定した色分解特性を得るために、ハロゲンランプなどの演色性のよい光源が使用されていた。」（１頁右下欄１６行〜１９行）
　
（ｃ）「以下、本発明の一実施例について図面を参照して説明する。
　第１図において、１は光源としての蛍光灯で、図示しない被読取物（たとえばカラー原稿など）に対して相対的に移動し、被読取物の画像面に光を照射する。２は光量積分形の光電変換器としてのＣＣＤ形ラインセンサで、蛍光灯１とともに被読取物に対して相対的に移動し、被読取物からの反射光を受光して自己走査により電気信号に変換する。ラインセンサ２は駆動回路３によって走査駆動される。ラインセンサ２の出力は信号処理回路４に送られ、ここで所定の信号処理が行なわれ、画像信号として外部に出力されるようになっている。蛍光灯１は、スイッチング回路５を介して点灯回路（高周波パルス発生回路）６から高周波パルスが供給され、その高周波パルスによって点灯される。蛍光灯１の光量はホトセルなどの受光素子７で受光して電気信号に変換し、その信号を受光回路８に送る。受光回路８は、受光素子７の出力を増幅して光量フィードバック回路９に送る。光量フィードバック回路９は、受光回路８の出力に応じてスイッチング回路５のオン、オフ時間を制御することにより、ラインセンサ２の一走査時間内（以下これを一主走査時間内と称する）における蛍光灯１の光量が常に一定になるよう制御する。ここで、点灯回路６は、ラインセンサ２の走査時間（以下これを主走査時間と称する）に同期あるいは非同期の信号で蛍光灯１を高周波点灯している。」（２頁左下欄１２行〜右下欄２０行）
　
（ｄ）「第２図に本装置の調光のタイミング図を示す。Ａはラインセンサ２の走査、つまり主走査を制御する主走査制御信号で、一主走査に１回パルスが得られる。Ｂは蛍光灯１を点灯させるための高周波パルス（点灯回路６の出力）、Ｃはスイッチング回路５のオン、オフ制御信号（光量フィードバック回路９の出力）、Ｄは実際に蛍光灯１に印加される高周波点灯信号（スイッチング回路５の出力）である。
　このように、蛍光灯１の一主走査時間内の光量積分値を常に観察し、この光量の値を一定にするべく、蛍光灯１を点灯させる高周波パルスの一主走査時間内の発生数を主走査に同期した信号で制御することにより、蛍光灯１の単位時間内の光量の積分値を常に一定に保持するものである。」（３頁左上欄１８行〜右上欄１２行）
　
（ｅ）第１引用例の第２図には、ラインセンサ２を走査する主走査制御信号Ａと、蛍光灯１を点灯させるための点灯回路６の出力である高周波パルスＢとが同期したタイミング図が示されている。
　
　上記（ａ）ないし（ｅ）の記載及び図面から、第１引用例には
「点灯回路（高周波パルス発生回路）を備え、被読取物の画像面に蛍光灯により光を照射し、前記被読取物からの反射光を光電変換器としてのＣＣＤ形ラインセンサで受光して電気信号に変換する画像読取装置において、前記ラインセンサは駆動回路によって走査駆動され、前記点灯回路は、前記ラインセンサの走査時間に同期した信号で蛍光灯を高周波点灯し、前記蛍光灯の単位時間内の光量の積分値を一定にするべく、前記蛍光灯を点灯させる高周波パルスの一走査時間内の発生数を主走査に同期した信号で制御することを特徴とする画像読取装置。」の発明（以下、「引用発明」という。）が記載されている。
　
［第２引用例］
　原査定の拒絶の理由に引用された、特開平９−２５２３８３号公報（以下、「第２引用例」という。）には、次の事項が図面と共に記載されている。
　
（ｆ）「この発明は、上記問題点に基づきなされたもので、この発明は、画像を光学的に読み取る画像読取装置において、光源と；前記光源から照射された光を画像読取対象物を介して受光する受光手段と；前記受光手段の解像度を制御する解像度制御手段と；前記解像度制御手段により制御される解像度に従って前記光源の光量を制御する光量制御手段とを備えている。」（段落【０００９】）
　
（ｇ）「図６は、解像度の設定に応じた蛍光灯２５の光量制御を説明するブロック図である。（途中省略）スキャナＣＰＵ１６０は、解像度設定信号を基に蛍光灯２５の光量を演算し、光量設定信号を光源点灯回路１６４に出力する。さらに、スキャナＣＰＵ１６０は、モータ駆動信号をモータドライバ１６８に出力する。光源点灯回路１６４は、光量設定信号を基にして管電流信号を蛍光灯２５に出力する。」（段落【００４７】）
　
（ｈ）「光源点灯回路１６４は、Ｄ／Ａ変換器１６４ａ、差動増幅器１６４ｂ、パルス幅変調器１６４ｃ、三角波発生回路１６４ｄ、蛍光灯インバータ回路１６４ｅで構成されている。また、Ｄ／Ａ変換器１６４ａ、差動増幅器１６４ｂ、パルス幅変調器１６４ｃ、三角波発生回路１６４ｄを総称して感電流可変回路部とする。この感電流可変回路部において、スキャナＣＰＵ１６０から送られてくる８ビット信号がデジタル／アナログ変換され、このデジタル／アナログ変換された信号により、蛍光灯２５の感電流が増減され、蛍光灯２５の光量が可変される。式（２）により、ポート出力値が小さいときには光量が減らされ、大きいときには光量が増やされる。」（段落【００５２】）
　
（ｉ）「三角波発生回路１６４ｄから発生される三角波は、ＯＰアンプ４１７の反転入力端子に入力される。また、ＯＰアンプの非反転入力端子には、パルス幅変調基準電圧Ｖｔが入力される。即ち、パルス幅変調基準電圧Ｖｔと三角波とを比較することにより、図１１に示すようにパルス幅変調が行われる。
　以上、スキャナＣＰＵから光量を高くする光量設定信号が出力されると、アナログ電圧信号Ｖｆは下がり、差動増幅器１６４ｂの出力電圧Ｖ０、即ちパルス幅変調基準電圧Ｖｔが上がり、蛍光灯インバータ回路１６４ｅに入力するオン時間が長くなり、蛍光灯２５は明るくなる。
　逆に、スキャナＣＰＵから光量を低くする光量設定信号が出力されると、アナログ電圧信号Ｖｆは上がり、差動増幅器１６４ｂの出力電圧Ｖ０、即ちパルス幅変調基準電圧Ｖｔが下がり、蛍光灯インバータ回路１６４ｅに入力するオン時間が短くなり、蛍光灯２５は暗くなる。」（段落【００５７】〜【００５９】）
　
［第３引用例］
　原査定の拒絶の理由に引用された、特開２０００−４３３２号公報（以下、「第３引用例」という。）には、次の事項が図面と共に記載されている。
　
（ｊ）「ところで、照明ランプＲは、自励振インバータ回路が発振する駆動信号に従って高周波インバータ点灯を行う。そのため、照明ランプＲからの照明光には、駆動信号の周波数に対応する周期のリップル成分（脈動成分）が含まれている。これに対して、固体撮像素子では、所定の露光周期で画像の読み取りを行っている。したがって、照明光のリップル周期と固体撮像素子の露光周期との関係によっては、固体撮像素子での読み取り結果にフリッカ（出力揺らぎ）が発生してしまう場合がある。」（段落【０００４】）
　
（ｋ）「このような照明ランプの駆動信号の周波数精度および安定性を確保するために、本実施の形態の画像読取装置は、図１に示すように構成されている。すなわち、本実施の形態の画像読取装置１０は、図１（ａ）に示すように、プラテンガラス１１と、照明ランプ１２ａおよび照明駆動回路１２ｂを搭載したフルレートキャリッジ１２と、ハーフレートキャリッジ１３と、モータ１４と、レンズ１５と、固体撮像素子１６と、撮像素子制御回路１７と、画像処理回路１８と、を備えて構成されており、さらには、照明駆動回路１２ｂが図１（ｂ）に示すように構成されている。」（段落【００２９】）
　
（ｌ）「このとき、撮像素子制御回路１７は、固体撮像素子１６での露光周期の制御に必要な露光タイミング信号を生成するために、原発振器１７ａに原発振を発生させる。そして、その原発振を基に露光タイミング信号を生成する。さらには、その原発振を分周回路１７ｂおよび昇圧回路１７ｃで処理した後に、これを発振信号として、通信線１９を介してフルレートキャリッジ１２上の照明駆動回路１２ｂへ送出する。
　照明駆動回路１２ｂは、撮像素子制御回路１７からの発振信号を受け取ると、その発振信号を基に所定周波数（露光タイミング信号のｎ倍の周波数）の駆動信号を生成し、この駆動信号により照明ランプ１２ａに高周波インバータ点灯を行わせる。つまり、照明駆動回路１２ｂは、撮像素子制御回路１７からの発振信号をトリガーとして照明ランプ１２ａの点灯を行うとともに、その際に原発振器１７ａからの原発振を基に駆動信号を生成する。なお、照明駆動回路１２ｂでは、撮像素子制御回路１７からの発振信号の送出がなくなると、照明ランプ１２ａを消灯させるようになっている。」（段落【００４２】〜【００４３】）
　
（３）対比
（ア）引用発明の「点灯回路」、「蛍光灯」、「ＣＣＤ形ラインセンサ」、「高周波パルス発生回路」及び「画像読取装置」は、本願補正発明の「ランプ点灯回路を含む点灯回路」、「放電ランプ」、「イメージセンサ」、「発振器」及び「イメージ入力装置」にそれぞれ相当する（前掲（ａ）、（ｃ））。
　
（イ）引用発明は、被読取物の画像面に蛍光灯で光を照射し、前記被読取物からの反射光を光電変換器としてのＣＣＤ形ラインセンサで受光して電気信号に変換しており（前掲（ｃ））、本願補正発明の「被写体に放電ランプにより光を照射し、その反射光の強弱をイメージセンサにより電気信号に変換する」ことに相当する構成を備えている。
　
（ウ）引用発明は、ラインセンサ２を走査駆動する駆動回路３を備えており（前掲（ｃ））、また前記ラインセンサ２の走査、つまり主走査を制御する主走査制御信号は、一主走査に１回のパルスを含んでおり（前掲（ｄ）、（ｅ））、したがって引用発明は、前記ラインセンサ２に一主走査ごとに信号を出力して走査制御する機能を備えているから、本願補正発明の「イメージセンサに信号を出力」する「システム制御部」に相当する構成を備えている。
　
（エ）引用発明は、光電変換器としてのＣＣＤ形ラインセンサを備えており（前掲（ｃ））、該ＣＣＤ形ラインセンサと、前記高周波パルス発生回路と、前記ラインセンサの主走査を制御する信号を出力する機能とを合わせたものが、本願補正発明の「イメージセンサ、発振器、及びシステム制御部を含む変換回路」に相当する。
　
（オ）引用発明の「点灯回路６」は、蛍光灯１に高周波パルスを供給することにより、前記蛍光灯１を点灯させており（前掲（ｃ））、前記高周波パルスは、前記蛍光灯を１を点灯させるための信号であるといえるから、引用発明は、本願補正発明の「ランプ点灯回路」が、「信号により、」「放電ランプを点灯すること」に相当する構成を備えている。
　
　以上を踏まえ、本願補正発明と引用発明を対比すると、両者は、
　「ランプ点灯回路を含む点灯回路を備え、被写体に放電ランプにより光を照射し、その反射光の強弱をイメージセンサにより電気信号に変換するイメージ入力装置において、イメージセンサ、発振器、及びシステム制御部を含む変換回路を具備し、前記システム制御部は、前記イメージセンサに信号を出力し、前記ランプ点灯回路は、信号により、前記放電ランプを点灯することを特徴とするイメージ入力装置。」である点で一致し、以下の点で相違する。
　
［相違点１］
　本願補正発明の「点灯回路」が、「三角波発生回路」及び「パルス幅変調器」を備えており、また、本願補正発明の「システム制御部」が、「発振器から印加されるクロックに基づいて、三角波発生回路に所定周波数のクロックを印加」しており、さらに、本願補正発明の「ランプ点灯回路」が、「三角波発生回路からの前記所定周波数と同一周波数の三角波電圧の入力により前記所定周波数と同一周波数のパルス幅変調信号を出力するパルス幅変調器を介して入力され、かつ」、「パルス数が固定された信号により、前記所定周波数のクロックと同一の周波数で放電ランプを点灯する」のに対し、引用発明は、前記「三角波発生回路」及び「パルス幅変調器」に相当する構成を備えておらず、点灯回路すなわち高周波パルス発生回路６から、「クロック」ではなく高周波パルスをスイッチング回路５に供給し、前記高周波パルスの一主走査時間内の発生数を制御して蛍光灯１に供給し、該蛍光灯１を点灯させている点。
　
［相違点２］
　本願補正発明が、光源として「希ガス放電ランプ」を用いているのに対し、引用発明は、蛍光灯を用いている点。
　
［相違点３］
　本願補正発明の「点灯回路」が、「パルス幅変調器に接続されると共に、放電ランプとランプ点灯回路との間に接続された保護回路」を含むのに対し、引用発明は、前記「保護回路」に相当する構成を備えていない点。
　
［相違点４］
　本願補正発明の「システム制御部」が、「イメージセンサに所定周波数を分周した周波数のリセット信号を出力し」ており、また、本願補正発明の「ランプ点灯回路」が、「前記リセット信号に同期し」た信号により光源を点灯するのに対し、引用発明においては、ラインセンサの主走査を制御する主走査制御信号が、点灯回路すなわち高周波パルス発生回路から供給された高周波パルスを分周したものであるか否か明らかでなく、また何かをリセットする信号であるか否かも明らかでない点。
　
（４）判断
　上記相違点について検討する。
　
［相違点１について］
　画像読取装置において、パルス幅変調器、三角波発生回路、及び光源を点灯させるインバータ回路を備えた光源点灯回路を設け、前記三角波発生回路から発生される三角波に対しパルス幅変調を行うことにより、前記インバータ回路に入力するオン時間を変化させて、光源の光量制御を行うことは、例えば第２引用例にみられるように、当業者に周知の技術である（前掲（ｆ）、（ｇ）、（ｈ）、（ｉ））。
　ここで、前記三角波発生回路が、発振器等からの高周波信号に基づいて三角波を発生させていること、及び前記パルス幅変調器において、単位時間あたりのパルス数は固定のまま変化させず、各パルスの幅を変化させることにより、前記光量制御を行っていることは自明である。
　引用発明は、光源を点灯させる高周波パルスの一主走査時間内の発生数を変化させることにより、光源の光量制御を行っており（前掲（ｃ）、（ｄ））、該光量制御を行うために、引用発明に上記周知技術を適用して、三角波発生回路及びパルス幅変調器を設け、発振器等からの信号を前記三角波発生回路に供給して三角波を発生させ、該三角波をパルス幅変調器に供給してパルス幅変調された信号を発生させ、該信号をインバータ等の点灯回路に供給して、該点灯回路から出力されるパルス数が固定された信号により光源を駆動することは、当業者が困難なくなし得たものと認められ、前記発振器からの高周波信号をクロック信号とすること、及び前記高周波信号、前記三角波、前記パルス幅変調器からインバータ回路に出力される信号、並びに前記点灯回路から光源に出力される信号を、同一の周波数の信号とすることは、当業者が適宜採択し得る設計事項にすぎない。
　してみると、引用発明において、「三角波発生回路」及び「パルス幅変調器」を備えた「点灯回路」を設け、「発振器から印加されるクロックに基づいて、三角波発生回路に所定周波数のクロックを印加」する「システム制御部」を設け、さらに「三角波発生回路からの前記所定周波数と同一周波数の三角波電圧の入力により前記所定周波数と同一周波数のパルス幅変調信号を出力するパルス幅変調器を介して入力され、かつ」、「パルス数が固定された信号により、前記所定周波数のクロックと同一の周波数で放電ランプを点灯」する「ランプ点灯回路」を設けることは、当業者が容易に想到し得たものである。
　
［相違点２について］
　画像読取装置において、ハロゲンランプ等の希ガス放電ランプを光源として用いることは従来より周知の技術であり（前掲（ｂ））、引用発明において、蛍光灯に代えて希ガス放電ランプを光源に用いることは、当業者が適宜採択し得る設計事項にすぎない。
　
［相違点３について］
　画像読取装置において、光源を過電圧等から保護するための機能を設けることは、当業者に周知の技術である。例えば、特開平６−４６２０５号公報の段落【０００１】及び【００１５】には、スキャナー等に使用される原稿照明用光源を点灯させるための装置において、光源に供給される出力電圧が過大になった場合に装置の動作を停止させる出力過電圧保護値を設定する旨記載されている。
　引用発明も、高電圧を必要とする放電ランプを光源として用いており、引用発明に上記周知技術を適用して、光源を過電圧から保護するための回路を設けることは、当業者が容易に想到し得たものと認められ、該回路を他の構成要素とどのように接続するかは、当業者が必要に応じて適宜決定し得る事項にすぎない。
　
［相違点４について］
　第３引用例には、画像読取装置において、撮像素子を制御する回路を設け、該制御回路において、原発振器に発生させた信号を基に、前記撮像素子が画像の読み取りを行うための所定の露光周期の制御に必要なタイミング信号を生成させるとともに、前記原発振器に発生させた信号を分周回路等で処理した信号を発振信号として照明駆動回路に供給し、該照明駆動回路において、前記発振信号をもとに、前記タイミング信号のｎ倍の周波数の駆動信号を生成し、該駆動信号により照明ランプを点灯させることが、公知の技術として開示されている（前掲（ｊ）、（ｋ）、（ｌ））。
　ここで、前記「露光周期の制御に必要なタイミング信号」は、撮像素子すなわちイメージセンサを制御するための信号であり、前記「駆動信号」は、光源を点灯するための信号であるといえる。また、前記「タイミング信号」及び「駆動信号」は、共通の原発振器で発生させた信号をもとに生成されているから、該信号の分周すなわち周波数変換により、周波数については一方が他方の整数倍の関係にあるものの、互いに同期する信号であることは自明である。
　さらに、画像読取装置において、イメージセンサを１ライン毎に制御するためのリセット信号を供給することは、当業者に周知の技術である。例えば、特開平１０−３２２５１２号公報の段落【０００２】及び【００２５】には、原稿を読み取る画像読み取り装置において、ラインセンサのセンサトリガ信号が、前記ラインセンサの１ライン毎の蓄積データリセット信号である旨記載されている。
　引用発明も、ラインセンサを走査する主走査制御信号と、光源を点灯させるための高周波パルスとを同期させており（前掲（ｅ））、引用発明に上記第３引用例に記載された公知技術を適用して、高周波パルス発生回路で発生させた高周波パルスに対し、必要に応じて分周等の処理を施すことにより、前記高周波パルスから、ラインセンサを制御するための主走査制御信号を生成するとともに、該主走査制御信号に同期する、光源を点灯させるための信号を生成することは、当業者が困難なくなし得たものと認められ、前記主走査制御信号の周波数を、前記光源を点灯させるための信号の周波数を分周した周波数とすること、及び前記主走査制御信号を周知のリセット信号としてラインセンサに供給することは、当業者が適宜採択し得る設計事項にすぎない。
　なお、本願補正発明における「所定周波数」とは、点灯回路の一構成要素である三角波発生回路に印加されるクロックの周波数であるから、「所定周波数を分周した周波数の信号」は、光源を点灯させるための信号を分周した信号であるといえる。
　以上を踏まえると、引用発明において、「イメージセンサに所定周波数を分周した周波数のリセット信号を出力」する「システム制御部」を設け、さらに「前記リセット信号に同期し」た信号により光源を点灯する「ランプ点灯回路」を設けることは、当業者が容易に想到し得たものである。
　
　そして、本願補正発明の奏する作用効果も、第１引用例ないし第３引用例に記載された発明の奏する作用効果から当業者が予測できる以上の格別のものとも認められない。
　
　したがって、本願補正発明は、第１引用例ないし第３引用例に記載された発明に基づいて、当業者が容易に発明をすることができたものであるから、特許法第２９条第２項の規定により特許出願の際独立して特許を受けることができないものである。
　
（５）むすび
　以上のとおり、本件補正は特許法第１７条の２第５項で準用する第１２６条第５項の規定に違反するものであり、同法第１５９条第１項で準用する同法第５３条第１項の規定により却下されるべきものである。
　
３．本願発明
　平成１７年１月１４日付の手続補正は以上のとおり却下されたので、本願の請求項１に係る発明（以下、「本願発明」という。）は、平成１６年９月１７日付手続補正書の特許請求の範囲の請求項１に記載された事項により特定される、以下のとおりのものである。
　
　「被写体に希ガス放電ランプにより光を照射し、その反射光の強弱をイメージセンサにより電気信号に変換するイメージ入力装置において、三角波発生回路、パルス幅変調器、及びランプ点灯回路を含む点灯回路と、イメージセンサ、発振器、及びシステム制御部を含む変換回路とを具備し、前記システム制御部は、前記発振器から印加されるクロックに基づいて、前記三角波発生回路に所定周波数のクロックを印加すると共に前記イメージセンサに前記所定周波数を分周した周波数のリセット信号を出力し、前記ランプ点灯回路は、前記三角波発生回路から前記パルス幅変調器を介して当該ランプ点灯回路に入力される信号により、前記所定周波数のクロックと同一の周波数で前記希ガス放電ランプを点灯することを特徴とするイメージ入力装置。」
　
（１）引用例
　原査定の拒絶の理由に引用された引用例、及びその記載事項は、前記「２．（２）」に記載したとおりである。
　
（２）対比・判断
本願発明は、前記２．で検討した本願補正発明から、「点灯回路」、「パルス幅変調器」及び「ランプ点灯回路に入力される信号」について具体的な限定を省いたものである。
　そうすると、本願発明の構成要件をすべて含み、さらに他の構成要件を付加したものに相当する本願補正発明が、前記２．（３）及び（４）の対比、判断に記載したとおり、第１引用例ないし第３引用例に記載された発明に基づいて、当業者が容易に発明をすることができたものであるから、本願発明も同様の理由により、第１引用例ないし第３引用例に記載された発明に基づいて、当業者が容易に発明をすることができたものである。
　
（３）むすび
　以上のとおり、本願発明は、第１引用例ないし第３引用例に記載された発明に基づいて、当業者が容易に発明をすることができたものであるから、特許法第２９条第２項の規定により特許を受けることができない。
　したがって、本願は、拒絶されるべきものである。
　よって、結論のとおり審決する。